(57)【特許請求の範囲】
【請求項１】
カメラの鏡筒に装着されるレンズフードであって、
前記レンズフードは鏡筒に脱着可能に取着されるフード部材を備え、
前記フード部材の外周に操作部材が設けられ、
前記フード部材の内周に、前記操作部材に連結されると共に、前記鏡筒に配設されるアクセサリに連結可能な連結機構が設けられ、
前記連結機構はフード部材を鏡筒に取着した状態でアクセサリに連結され、操作部材を操作すると、アクセサリを鏡筒の軸心を中心として回転させるように構成され、
前記連結機構は、操作部材の操作により鏡筒の軸心を中心として回転しかつフード部材の軸方向に移動可能なスライド部材と、前記スライド部材をフード部材の軸方向に付勢する弾性部材とを備え、
前記スライド部材は、フード部材を鏡筒に連結した状態で前記弾性部材によりアクセサリに弾接されてスライド部材と共にアクセサリを回転させるように構成されている、
ことを特徴とするカメラのレンズフード。
【請求項２】
前記操作部材はフード部材の周方向に回転可能に配設され、前記連結機構は、フード部材の内周にフード部材の周方向に回転可能かつフード部材の軸方向に移動不能に配設された回転環を備え、前記操作部材と回転環はフード部材の周方向に一体に回転するように連結され、前記スライド部材は、前記回転環に一体に回転可能にかつフード部材の軸方向に移動可能に結合されていることを特徴とする請求項１記載のカメラのレンズフード。
【請求項３】
前記操作部材はフード部材の外周に、フード部材の半径方向を通る中心軸を中心として回転可能に配設され、前記連結機構は、フード部材の内周にフード部材の周方向に回転可能かつフード部材の軸方向に移動不能に配設された回転環を備え、前記操作部材と回転環は、前記操作部材を前記中心軸を中心として回転させると回転環がフード部材の周方向に回転するように連結され、前記スライド部材は、前記回転環に一体に回転可能にかつフード部材の軸方向に移動可能に結合されていることを特徴とする請求項１記載のカメラのレンズフード。
【請求項４】
カメラの鏡筒に装着されるレンズフードであって、
前記レンズフードは鏡筒に脱着可能に取着されるフード部材を備え、
前記フード部材の外周に操作部材が設けられ、
前記フード部材の内周にアクセサリを脱着可能に保持する枠状の保持部材が設けられ、
前記操作部材と保持部材とを連結する連結機構が設けられ、
前記連結機構は、操作部材を操作すると保持部材を鏡筒の軸心を中心として回転させるように構成され、
前記操作部材はフード部材の周方向に回転可能に配設され、
前記保持部材は前記操作部材と一体にフード部材の周方向に回転するよう連結されている、
ことを特徴とするカメラのレンズフード。
【請求項５】
カメラの鏡筒に装着されるレンズフードであって、
前記レンズフードは鏡筒に脱着可能に取着されるフード部材を備え、
前記フード部材の外周に操作部材が設けられ、
前記フード部材の内周にアクセサリを脱着可能に保持する枠状の保持部材が設けられ、
前記操作部材と保持部材とを連結する連結機構が設けられ、
前記連結機構は、操作部材を操作すると保持部材を鏡筒の軸心を中心として回転させるように構成され、
前記操作部材はフード部材の外周に、フード部材の半径方向を通る中心軸を中心として回転可能に配設され、
前記保持部材は、前記操作部材を前記中心軸を中心として回転させるとフード部材の周方向に回転するように連結されている、
ことを特徴とするカメラのレンズフード。
【請求項６】
前記保持部材は、フード部材の内周にフード部材の周方向に回転可能かつフード部材の軸方向に移動不能に配設され、前記保持部材の内周部にアクセサリを脱着可能に保持する保持部が設けられていることを特徴とする請求項４または５記載のカメラのレンズフード。
【請求項７】
前記保持部の内周部は、カメラの鏡筒の前部の外径よりも大きい内径で形成されていることを特徴とする請求項６記載のカメラのレンズフード。
【発明の詳細な説明】
【０００１】
【発明の属する技術分野】
本発明はカメラの鏡筒に装着されるレンズフードに関する。
【０００２】
【従来の技術】
カメラの鏡筒には、レンズフードが装着される他に、円偏光フィルタやクロスフィルタなどのアクセサリが装着される。
そして、アクセサリが円偏光フィルタやクロスフィルタである場合には、鏡筒に装着した後に、そのフィルタを、鏡筒の軸心を中心として回転させることがしばしばある。
例えば、アクセサリが円偏光フィルタである場合には、円偏光フィルタの偏光方向を、除去したい反射光などの偏光方向に直交させるため、撮影時に、回転操作することが必要になる。
一方、レンズフードはレンズ画角以外からの有害光線を遮断するものであり、カメラの鏡筒に装着されて用いられている。
そして、レンズフードを鏡筒に装着した場合、前記円偏光フィルタはレンズフードの内側に位置することになる。
【０００３】
【発明が解決しようとする課題】
そのため、従来のカメラでは、レンズフードを鏡筒に装着した場合、円偏光フィルタなどのアクセサリをレンズフードの内側で操作しなければならず、回転操作しにくい不具合があった。
本発明は前記事情に鑑み案出されたものであって、本発明の目的は、レンズフードを装着した場合であっても円偏光フィルタなどのアクセサリの回転操作を簡単に行なえるようにしたカメラのレンズフードを提供することにある。
【０００４】
【課題を解決するための手段】
前記目的を達成するため本発明は、カメラの鏡筒に装着されるレンズフードであって、
前記レンズフードは鏡筒に脱着可能に取着されるフード部材を備え、前記フード部材の外周に操作部材が設けられ、前記フード部材の内周に、前記操作部材に連結されると共に、前記鏡筒に配設されるアクセサリに連結可能な連結機構が設けられ、前記連結機構はフード部材を鏡筒に取着した状態でアクセサリに連結され、操作部材を操作すると、アクセサリを鏡筒の軸心を中心として回転させるように構成され、前記連結機構は、操作部材の操作により鏡筒の軸心を中心として回転しかつフード部材の軸方向に移動可能なスライド部材と、前記スライド部材をフード部材の軸方向に付勢する弾性部材とを備え、前記スライド部材は、フード部材を鏡筒に連結した状態で前記弾性部材によりアクセサリに弾接されてスライド部材と共にアクセサリを回転させるように構成されていることを特徴とする。
また、本発明は、カメラの鏡筒に装着されるレンズフードであって、前記レンズフードは鏡筒に脱着可能に取着されるフード部材を備え、前記フード部材の外周に操作部材が設けられ、前記フード部材の内周にアクセサリを脱着可能に保持する枠状の保持部材が設けられ、前記操作部材と保持部材とを連結する連結機構が設けられ、前記連結機構は、操作部材を操作すると保持部材を鏡筒の軸心を中心として回転させるように構成され、前記操作部材はフード部材の周方向に回転可能に配設され、前記保持部材は前記操作部材と一体にフード部材の周方向に回転するよう連結されていることを特徴とする。
また、本発明は、カメラの鏡筒に装着されるレンズフードであって、前記レンズフードは鏡筒に脱着可能に取着されるフード部材を備え、前記フード部材の外周に操作部材が設けられ、前記フード部材の内周にアクセサリを脱着可能に保持する枠状の保持部材が設けられ、前記操作部材と保持部材とを連結する連結機構が設けられ、前記連結機構は、操作部材を操作すると保持部材を鏡筒の軸心を中心として回転させるように構成され、前記操作部材はフード部材の外周に、フード部材の半径方向を通る中心軸を中心として回転可能に配設され、前記保持部材は、前記操作部材を前記中心軸を中心として回転させるとフード部材の周方向に回転するように連結されていることを特徴とする。
【０００５】
本発明によれば、フード部材の外側において操作部材を操作すると、鏡筒の内側やフード部材の内側に配設されるアクセサリが回転される。したがって、アクセサリの回転操作を簡単に行なえるようになる。
【０００６】
【発明の実施の形態】
以下、本発明の実施の形態を図面を参照して説明する。
まず、図１乃至図５を参照して第１の実施の形態を説明する。
図１はカメラの鏡筒と円偏光フィルタとレンズフードとの関係を示す第１の実施の形態の説明図で鏡筒の軸心の上半部の断面図、図２はカメラの鏡筒に円偏光フィルタ及びレンズフードを装着した状態の説明図で鏡筒の軸心の上半部の断面図、図３は回転環の斜視図、図４はスライド部材の斜視図、図５(Ａ)は回転環とスライド部材とが結合された状態の斜視図、(Ｂ)は回転環とスライド部材とが結合された状態でその一部を破断した斜視図である。
図１に示すように、カメラの鏡筒１２の前部には撮影レンズ１４が支持され、鏡筒１２の前端に、アクセサリとして写真用フィルタである円偏光フィルタ１６が脱着可能に装着され、鏡筒１２の前部外周にレンズフード用取り付け部１２０２が設けられ、このレンズフード用取り付け部１２０２を介して鏡筒１２の前端にレンズフード１８が脱着可能に装着される。
前記円偏光フィルタ１６は、円板状のフィルタ部１６０２と、フィルタ部１６０２を保持する環状の第１ケース１６０４と、第１ケース１６０４を回転可能に支持する第２ケース１６０６とを備えており、第２ケース１６０６の外周の雄ねじが鏡筒１２の内周前端の雌ねじに結合される。これにより第１ケース１６０４が第２ケース１６０６よりもカメラの前方に位置すると共に、フィルタ部１６０２が鏡筒１２と同軸上で鏡筒１２により回転可能に支持されることになる。
【０００７】
前記レンズフード１８はフード部材２０と、フード部材２０の外周に配設される操作部材２２と、フード部材２０の内周に配設される連結部材２４と、弾性部材２６などを備えている。
前記フード部材２０は鏡筒１２よりも大きい内径で前後長さを有する筒部２００２と、筒部２００２の後端に筒部２００２よりも小さい内径で設けられた縮径部２００４とを備えている。
前記筒部２００２の後部に、筒部２００２の中心に対して９０度もしくは９０度よりも若干大きい範囲で筒部２００２の周方向に延在する溝２００６が、筒部２００２の周方向に間隔をおいて複数形成されている。
また、前記縮径部２００４の内周に前記レンズフード用取り付け部１２０２に脱着可能な鏡筒用取り付け部２００８が設けられ、鏡筒用取り付け部２００８は円偏光フィルタ１６よりも大きな内径で形成されている。レンズフード用取り付け部１２０２と鏡筒用取り付け部２００８には、バヨネット機構などの従来公知の構造が用いられ、これら取り付け部１２０２，２００８を介してフード部材２０が鏡筒１２に脱着可能に取着され、フード部材２０が鏡筒１２に取着された状態でフード部材２０は鏡筒１２と同軸上で支持されることになる。
【０００８】
前記操作部材２２は環状を呈し、前記溝２００６を覆うように筒部２００２の後部外周に回転可能に配設されている。
前記連結部材２４は、図５(Ａ)、(Ｂ)に示すように、前記溝２００６を覆うように筒部２００２の後部内周に回転可能に配設された回転環２４０２と、回転環２４０２の内周に配設されたスライド部材２４０４とを備えている。
前記回転環２４０２は、図３に示すように、筒部２００２の内周に回転可能に装着される外径で筒状に形成され、その前端には回転環２４０２の周方向に間隔をおいて半径方向内方に突出する突起２４０２Ａが複数(本実施の形態では４つ)形成され、筒部２００２の後端には雌ねじ２４５０が形成されている。
前記操作部材２２と回転環２４０２は、図１、図２に示すように、前記溝２００６を挿通し前記雌ねじ２４０５に螺合されたねじ２８により結合され、ねじ２８が溝２００６内に位置する箇所に軸受部材３０が配設されている。そして、指を触れて操作部材２２を回転させると、操作部材２２と回転環２４０２とが筒部２００２と同軸上で回転し、指を離すとその回転状態が保持されるように構成されている。
【０００９】
前記スライド部材２４０４は、図４に示すように、前記回転環２４０２の内径よりも小さい寸法の外径で形成された筒部２４０４Ａを備え、筒部２４０４Ａの後端外周面に、回転環２４０２の内周に挿入される鍔部２４０４Ｂが形成されている。
また、筒部２４０４Ａの外周面に、筒部２４０４Ａの周方向に間隔をおき筒部２４０４Ａの軸心方向に延在する溝２４０４Ｃが複数（本実施の形態では４つ）形成され、さらに、筒部２４０４Ａの長手方向中間部でその内周全周にわたり、筒部２４０４Ａの半径方向内方に突出する環板状の当接板２４０４Ｄが設けられている。
そして、前記当接板２４０４Ｄが後方に臨む面には、ゴムなどのような摩擦係数の高い材料からなる環板状の摩擦板２４０４Ｅが取着され、摩擦板２４０４Ｅは、円偏光フィルタ１６の第１ケース１６０４の前端に当接可能に設けられている。
【００１０】
前記回転環２４０２とスライド部材２４０４は、図５(Ａ)、(Ｂ)に示すように、突起２４０２Ａが溝２４０４Ｃに挿入され、突起２４０２Ａと鍔部２４０４Ｂとが対向するように配設され、このように配設された後、図１、図２に示すように、スライド部材２４０４の前端に環板状のストッパ２４０４Ｆが取着される。これにより、スライド部材２４０４は、スライド部材２４０４の溝２４０４Ｃと回転環２４０２の溝２４０４Ｃとの係合を介して、回転環２４０２に対してフード部材２０の筒部２００２の周方向に一体的に回転し、かつ、筒部２０の軸方向に移動可能に結合される。
前記弾性部材２６はコイルばねからなり、スライド部材２４０４の筒部２４０４Ａの外周と回転環２４０２の内周との間で、突起２４０２Ａと鍔部２４０４Ｂとの間の空間に配設され、突起２４０２Ａと鍔部２４０４Ｂとを互いに引き離す方向に付勢している。したがって、突起２４０２Ａを有する回転環２４０２は軸方向に移動不能に設けられていることから、スライド部材２４０４は常時後方に付勢されることになり、このスライド部材２４０４の後退限界位置は、例えば、図１に示すように、スライド部材２４０４の後端が縮径部２００４の前端に当接することで規制される。
なお、本実施の形態では、前記連結部材２４(回転環２４０２、スライド部材２４０４)、弾性部材２６、ねじ２８などにより特許請求の範囲の連結機構が構成されている。
【００１１】
第１の実施の形態では、円偏光フィルタ１６が装着された鏡筒１２にレンズフード１８を、取り付け部１２０２，２００８を介して取着する際、第１ケース１６０４の前端が摩擦板２４０４Ｅに当接し、これにより弾性部材２６が圧縮されつつスライド部材２４０４が回転環２４０２に対して前方にスライドされる。
そして、レンズフード１８が鏡筒１２に取着された状態では、図２に示すように、弾性部材２６が圧縮され、この弾性部材２６の付勢力により第１ケース１６０４の前端と摩擦板２４０４Ｅが弾接された状態となる。
したがって、カメラの使用者が撮影時に、操作部材２２を回転させると、操作部材２２と一体に回転環２４０２、スライド部材２４０４が回転し、また、第１ケース１６０４の前端と摩擦板２４０４Ｅとの摩擦力により、第１ケース１６０４と摩擦板２４０４Ｅが一体に回転し、フィルタ部１６０２が操作部材２２と一体に回転することになる。
したがって、レンズフード１８の外側から操作部材２２を回転させるという簡単な操作で円偏光フィルタ１６などのアクセサリを回転させることができ、アクセサリの回転操作を簡単に行なえるようになる。
【００１２】
次に、図６乃至図８を参照して第２の実施の形態を説明する。なお、以下に説明する第２乃至第４の実施の形態において第１の実施の形態と同様な部材、箇所に同一の符号を付して説明する。
図６はカメラの鏡筒と円偏光フィルタとレンズフードとの関係を示す第２の実施の形態の説明図で鏡筒の軸心の上半部の断面図、図７はカメラの鏡筒に円偏光フィルタ及びレンズフードを装着した状態の説明図で鏡筒の軸心の上半部の断面図、図８はつまみ部の操作で回転する歯車と回転環の歯部が噛合した状態の斜視図である。
第２の実施の形態では、操作部材３２の形状及び、連結部材２４を構成する回転環３４の形状が第１の実施の形態と異なっている。
すなわち、操作部材３２は、円板状のつまみ部３２０２と、つまみ部３２０２の中心から突設する軸部３２０４と、軸部３２０４の先端に設けられた歯車３２０６とからなり、フード部材２０の筒部２００２の後端に取着された軸受部材３６の孔に前記軸部３２０４が挿通され、つまみ部３２０２が筒部２００２の外側に位置し、歯車３２０６が筒部２００２の内側に位置した状態で、筒部２００２の半径方向を通る中心軸を中心として回転可能に配設される。なお、つまみ部３２０２と軸部３２０４はねじ３８により脱着可能に結合される。
【００１３】
前記回転環３４は、図８に示すように、筒部２００２の内周に回転可能に装着される外径で筒状に形成された筒部３４０２と、筒部３４０２の前端から筒部３４０２と同軸上に延在する筒部３４０２よりも外径の小さい小径部３４０４とを備えている。
前記小径部３４０４上で筒部３４０２の前端に歯部３４０６が形成され、また、小径部３４０４の前端で周方向に間隔をおいた箇所からそれぞれ半径方向内方に突起３４０８が複数(本実施の形態では４つ)突設されている。
そして前記歯車３２０６が筒部２００２の内周と回転環３４の小径部３４０４の外周との間に位置し、図８に示すように、前記筒部３４０２の前端の歯部３４０６に噛合しており、小径部３４０４の前端に環板状のストッパ２４０４Ｆが取着されている。なお、筒部３４０２の後端が筒部２００２後端の壁部に当接し、歯部３４０６に歯車３２０６が噛合することで、回転環３４は筒部２００２の軸方向に移動不能に配設されることになる。
【００１４】
前記回転環３４とスライド部材２４０４は、突起３４０８が溝２４０４Ｃに挿入され、突起３４０８と鍔部２４０４とが対向するように配設され、このように配設された後、スライド部材２４０４の前端に環板状のストッパ２４０４Ｆが取着される。
そして、弾性部材２６がスライド部材２４０４の筒部２４０４Ａの外周と回転環３４の小径部３４０４の内周との間で、突起３４０８と鍔部２４０４Ｂとの間の空間に配設され、突起３４０８と鍔部２４０４Ｂとを互いに引き離す方向に付勢している。したがって、突起３４０８を有する回転環３４は軸方向に移動不能に設けられていることから、スライド部材２４０４は常時後方に付勢されることになり、このスライド部材２４０４の後退限界位置は、例えば、図６に示すように、スライド部材２４０４の後端が縮径部２００４の前端に当接することで規制される。
なお、本実施の形態では、軸部３２０４、歯車３２０６、連結部材２４(回転環３４、スライド部材２４０４)、弾性部材２６などにより特許請求の範囲の連結機構が構成されている。
【００１５】
第２の実施の形態では、円偏光フィルタ１６が装着された鏡筒１２にレンズフード１８を、取り付け部１２０２，２００８を介して取着する際、第１ケース１６０４の前端が摩擦板２４０４Ｅに当接し、これにより弾性部材２６が圧縮されつつスライド部材２４０４が回転環３４に対して前方にスライドされる。
そして、レンズフード１８が鏡筒１２に取着された状態では、図７に示すように、弾性部材２６が圧縮され、この弾性部材２６の付勢力により第１ケース１６０４の前端と摩擦板２４０４Ｅが弾接された状態となる。
したがって、カメラの使用者が撮影時に、操作部材３２のつまみ部３２０２を回すと、歯車３２０６と歯部３４０４を介して操作部材３２と一体に回転環３４が回転し、また、突起３４０８と溝２４０４Ｃの係合を介して回転環３４とスライド部材２４０４が一体に回転し、さらに、第１ケース１６０４の前端と摩擦板２４０４Ｅとの摩擦力により第１ケース１６０４と摩擦板２４０４Ｅが一体に回転し、フィルタ部１６０２が操作部材３２の回転操作に追従して回転することになる。
したがって、レンズフード１８の外側からつまみ部３２０２を回すという簡単な操作で円偏光フィルタ１６などのアクセサリを回転させることができ、アクセサリの回転操作を簡単に行なえるようになる。
【００１６】
次に、図９、図１０を参照して第３の実施の形態を説明する。
図９はカメラの鏡筒に円偏光フィルタ及びレンズフードを装着した状態の第３の実施の形態の説明図で鏡筒の軸心の上半部の断面図、図１０は円偏光フィルタを取り外しレンズフードを逆被せした状態の鏡筒の軸心の上半部の断面図である。
第３の実施の形態では、円偏光フィルタ４０が鏡筒１２ではなくレンズフード４２に脱着可能に取着される点が前記第１の実施の形態および第２の実施の形態と異なっており、したがって、第３の実施の形態では、レンズフード４２を鏡筒１２に装着することで円偏光フィルタ４０が鏡筒１２の前方に配置されることになる。
【００１７】
前記円偏光フィルタ４０は、円板状のフィルタ部４００２と、フィルタ部４００２を保持する環状の第１ケース４００４と、第１ケース４００４を回転可能に支持する第２ケース４００６とを備えており、第２ケース４００６の外周の雄ねじ４０１０は、鏡筒１２の内周前端の雌ねじ１２１０よりも大きな寸法で形成されている。
前記レンズフード４２は、円偏光フィルタ４０を脱着可能に保持するフード部材４４と、フード部材４４の外周に配設される操作部材４６と、フード部材４４の内周に配設される回転環４８(特許請求の範囲の保持部材に相当)などを備えている。
【００１８】
前記フード部材４４は鏡筒１２よりも大きい内径で前後長さを有する筒部４４０２と、筒部４４０２の後端に筒部４４０２よりも小さい内径で設けられた縮径部４４０４とを備えている。
前記筒部４４０２の後部に、筒部４４０２の中心に対して９０度もしくは９０度よりも若干大きい範囲で筒部４４０２の周方向に延在する溝４４０６が、筒部４４０２の周方向に間隔をおいて複数形成されている。
また、前記縮径部４４０４の内周に鏡筒１２の外周前端のレンズフード用取り付け部１２０２に脱着可能な鏡筒用取り付け部４４０８が設けられている。レンズフード用取り付け部１２０２と鏡筒用取り付け部４４０８には、バヨネット機構などの従来公知の構造が用いられ、これら取り付け部１２０２，４４０８を介してフード部材４４が鏡筒１２に脱着可能に取着され、フード部材４４が鏡筒１２に取着された状態でフード部材４４は鏡筒１２と同軸上で支持されることになる。
【００１９】
前記操作部材４６は環状を呈し、前記溝４４０６を覆うように筒部４４０２の後部外周に回転可能に配設されている。
前記回転環４８は、前記溝４４０６を覆うように筒部４４０２の後部内周に回転可能に配設されている。
前記回転環４８は、筒部４４０２の後部内周に回転可能に装着される外径で筒状に形成された筒部４８０２と、この筒部４８０２の前端から半径方向内方に環状に突出された環板部４８０４とを備えている。
そして、前記環板部４８０４の内周に、第２ケース４００６の雄ねじ４０１０に螺合可能な雌ねじ４８０６(特許請求の範囲の保持部に相当)が形成されている。この雌ねじ４８０６の内径は、鏡筒１２の外径およびレンズフード用取り付け部１２０２の外径よりも大きな寸法で形成されている。
前記操作部材４６と回転環４８は、前記溝４４０６を挿通するねじ５０により結合され、ねじ５０が溝４４０６内に位置する箇所に軸受部材５２が配設されている。このように操作部材４６と回転環４８とが結合されることで、回転環４８は筒部４４０２の軸方向に移動不能に配設されることになる。そして、指を触れて操作部材４６を回転させると、操作部材４６と回転環４８とが筒部４４０２と同軸上で回転し、指を離すとその回転状態が保持されるように構成されている。したがって、本実施の形態では、筒部４４０２の内周やねじ５０により特許請求の範囲の連結機構が構成されている。
【００２０】
第３の実施の形態では、雄ねじ４０１０と雌ねじ４８０６の螺合により円偏光フィルタ４０がフード部材４４に同軸上に取着され、このように円偏光フィルタ４０が取着されたフード部材４４が、取り付け部１２０２、４４０８を介して鏡筒１２に装着される。
したがって、カメラの使用者が撮影時に、操作部材４６を回転させると、操作部材４６と一体に回転環４８が回転し、また、回転環４８と第２ケース４００６とが一体に回転し、円偏光フィルタ４０全体が回転環４８と一体に回転する。
したがって、レンズフード４２の外側から操作部材４６を回転させるという簡単な操作で円偏光フィルタ４０などのアクセサリを回転させることができ、アクセサリの回転操作を簡単に行なえるようになる。
また、図１０に示すように、円偏光フィルタ４０を回転環４８から取り外し、筒部４４０２を後方に向けてレンズフード４２を取り付け部１２０２、４４０８を介して鏡筒１２に装着でき、いわゆる筒部４４０２の内側に鏡筒１２を位置させる逆被せも可能となり、レンズフード４２の取り扱いが便利となる。
【００２１】
次に、図１１、図１２を参照して第４の実施の形態を説明する。
図１１はカメラの鏡筒に円偏光フィルタ及びレンズフードを装着した状態の第４の実施の形態の説明図で鏡筒の軸心の上半部の断面図、図１２は円偏光フィルタを取り外しレンズフードを逆被せした状態の鏡筒の軸心の上半部の断面図である。
第４の実施の形態は、前記第３の実施の形態と同様に円偏光フィルタ４０がレンズフード４２に脱着可能に取着され、レンズフード４２を鏡筒１２に装着することで円偏光フィルタ４０が鏡筒１２の前方に配置されるものである。
【００２２】
前記レンズフード４２は、円偏光フィルタ４０を脱着可能に保持するフード部材４４と、フード部材４４の外周に配設される操作部材５６と、フード部材４４の内周に配設される回転環５８(特許請求の範囲の保持部材に相当)などを備えている。
前記操作部材５６は、円板状のつまみ部５６０２と、つまみ部５６０２の中心から突設する軸部５６０４と、軸部５６０４の先端に設けられた歯車５６０６とからなり、フード部材４４の筒部４４０２の後端に取着された軸受部材６０の孔に前記軸部５６０４が挿通され、つまみ部５６０２が筒部４４０２の外側に位置し、歯車５６０６が筒部４４０２の内側に位置した状態で、筒部４４０２の半径方向を通る中心軸を中心として回転可能に配設される。なお、つまみ部５６０２と軸部５６０４はねじ６２により脱着可能に結合される。
【００２３】
前記回転環５８は、筒部４４０２の内周に回転可能に装着される外径で筒状に形成された筒部５８０２と、筒部５８０２の前端から筒部５８０２と同軸上に延在する筒部５８０２よりも外径の小さい小径部５８０４とを備え、小径部５８０４上で筒部５８０２の前端に歯部５８０６が形成されている。
そして、前記歯車５６０６が、筒部４４０２の内周と回転環５８の小径部５８０４の外周との間に位置し、前記歯部５８０６に噛合しており、小径部５８０４の前端に環板状のストッパ５８０８が取着されている。なお、筒部５８０２の後端が筒部４４０２後端の壁部に当接し、歯部５８０６に歯車５６０６が噛合することで回転環５８は筒部４４０２の軸方向に移動不能に配設されることになる。また、前記小径部５８０４の前端内周に、第２ケース４００６の雄ねじ４０１０に螺合可能な雌ねじ５８１０(特許請求の範囲の保持部に相当)が形成されている。この雌ねじ５８１０の内径は、鏡筒１２の外径およびレンズフード用取り付け部１２０２の外径よりも大きな寸法で形成されている。
本実施の形態では、筒部４４０２の内周部や、歯車５６０６、歯部５８０６などにより特許請求の範囲の連結機構が構成されている。
【００２４】
第４の実施の形態では、雄ねじ４０１０と雌ねじ５８１０の螺合により円偏光フィルタ４０がフード部材４４に同軸上に取着され、このように円偏光フィルタ４０が取着されたフード部材４４が、取り付け部１２０２、４４０８を介して鏡筒１２に装着される。
したがって、カメラの使用者が撮影時に、操作部材５６のつまみ部５６０２を回すと、歯車５６０６と歯部５８０６を介して操作部材５６と一体に回転環５８が回転し、また、回転環５８と第２ケース４００６とが一体に回転し、円偏光フィルタ４０全体が回転環５８と一体に回転する。
したがって、レンズフード４２の外側から操作部材５６を回すという簡単な操作で円偏光フィルタ４０などのアクセサリを回転させることができ、アクセサリの回転操作を簡単に行なえるようになる。
また、図１２に示すように、円偏光フィルタ４０を回転環５８から取り外し、筒部４４０２を後方に向けてフード部材４４を取り付け部１２０２、４４０８を介して鏡筒１２に装着でき、いわゆる筒部４４０２の内側に鏡筒１２を位置させる逆被せも可能となり、第３の実施の形態と同様に、レンズフード４２の取り扱いが便利となる。
【００２５】
なお、本発明においてカメラの鏡筒とは、カメラのハウジングと一体的に設けられた鏡筒のみならず、カメラに装着される交換レンズの鏡筒をも含むものである。
【００２６】
【発明の効果】
以上の説明で明らかなように本発明は、鏡筒に脱着可能に取着されるレンズフードのフード部材の外周に操作部材が設けられ、前記操作部材は、鏡筒または鏡筒の前方に配設されるアクセサリを鏡筒の軸心を中心として回転させるように構成されている。
そのため、レンズフードの外側から写真用フィルタなどのアクセサリの回転操作を簡単に行なうことが可能となる。
【図面の簡単な説明】
【図１】カメラの鏡筒と円偏光フィルタとレンズフードとの関係を示す第１の実施の形態の説明図で鏡筒の軸心の上半部の断面図である。
【図２】カメラの鏡筒に円偏光フィルタ及びレンズフードを装着した状態の第１の実施の形態の説明図で鏡筒の軸心の上半部の断面図である。
【図３】回転環の斜視図である。
【図４】スライド部材の斜視図である。
【図５】  (Ａ)は回転環とスライド部材とが結合された状態の斜視図、(Ｂ)は回転環とスライド部材とが結合された状態でその一部を破断した斜視図である。
【図６】カメラの鏡筒と円偏光フィルタとレンズフードとの関係を示す第２の実施の形態の説明図で鏡筒の軸心の上半部の断面図である。
【図７】カメラの鏡筒に円偏光フィルタ及びレンズフードを装着した状態の第２の実施の形態の説明図で鏡筒の軸心の上半部の断面図である。
【図８】つまみ部の操作で回転する歯車と回転環の歯部３４０６が噛合した状態の斜視図である。
【図９】カメラの鏡筒に円偏光フィルタ及びレンズフードを装着した状態の第３の実施の形態の説明図で鏡筒の軸心の上半部の断面図である。
【図１０】円偏光フィルタを取り外しレンズフードを逆被せした状態の鏡筒の軸心の上半部の断面図である。
【図１１】カメラの鏡筒に円偏光フィルタ及びレンズフードを装着した状態の第４の実施の形態の説明図で鏡筒の軸心の上半部の断面図である。
【図１２】円偏光フィルタを取り外しレンズフードを逆被せした状態の鏡筒の軸心の上半部の断面図である。
【符号の説明】
１２  鏡筒
１６、４０  円偏光フィルタ
１８、４２レンズフード
２０、４４  フード部材
２２、３２、４６、５６  操作部材
２４０２、３４、４８、５８  回転環
２４０４  スライド部材
２６  弾性部材
【図１】
0004201231.tif 000002
【図２】
0004201231.tif 000003
【図３】
0004201231.tif 000004
【図４】
0004201231.tif 000005
【図５】
0004201231.tif 000006
【図６】
0004201231.tif 000007
【図７】
0004201231.tif 000008
【図８】
0004201231.tif 000009
【図９】
0004201231.tif 000010
【図１０】
0004201231.tif 000011
【図１１】
0004201231.tif 000012
【図１２】
0004201231.tif 000013